【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
ワイヤレスネットワークサービスのためのプロビジョンされた証明を取得するための方法であって、
ネットワークにアクセスするように証明が構成されていないと決定することと、
証明を取得するための前記ネットワークによってサポートされるプロビジョニングサーバを選択することと、
前記ネットワークとの接続を確立したいという要求を送信することと、ここにおいて、前記要求が、前記プロビジョニングサーバを示す、
を備える、方法。
【請求項２】
前記プロビジョニングサーバを選択することが、構成中に記憶された前記プロビジョニングサーバの指示を決定すること、または前記ネットワークから前記プロビジョニングサーバの前記指示を受信することに少なくとも部分的に基づく、請求項１に記載の方法。
【請求項３】
前記ネットワークとの前記接続を確立したいという前記要求に少なくとも部分的に基づいて前記プロビジョニングサーバとの前記接続を確立することと、
前記ネットワークとの前記接続を介して確立される１つまたは複数のデータベアラを介して前記プロビジョニングサーバから証明を受信することと
をさらに備える、請求項１に記載の方法。
【請求項４】
前記要求を送信することが、接続要求またはプロビジョニングを示す非アクセス層（ＮＡＳ）メッセージのうちの少なくとも１つを含むＮＡＳメッセージを送信することを備える、請求項１に記載の方法。
【請求項５】
ワイヤレスネットワークサービスのためのプロビジョンされた証明を取得するための装置であって、
ネットワークにアクセスするように証明が構成されていないと決定するための手段と、
証明を取得するための前記ネットワークによってサポートされるプロビジョニングサーバを選択するための手段と、
前記ネットワークとの接続を確立したいという要求を送信するための手段と、ここにおいて、前記要求が、前記プロビジョニングサーバを示す、
を備える、装置。
【請求項６】
選択するための前記手段が、構成中に記憶された前記プロビジョニングサーバの指示を決定すること、または前記ネットワークから前記プロビジョニングサーバの前記指示を受信することに少なくとも部分的に基づいて前記プロビジョニングサーバを選択する、請求項５に記載の装置。
【請求項７】
送信するための前記手段が、前記ネットワークとの前記接続を確立したいという前記要求に少なくとも部分的に基づいて前記プロビジョニングサーバとの前記接続をさらに確立し、選択するための前記手段が、前記ネットワークとの前記接続を介して確立される１つまたは複数のデータベアラを介して前記プロビジョニングサーバから証明をさらに受信する、請求項５に記載の装置。
【請求項８】
ワイヤレスネットワークサービスのためのプロビジョンされた証明を取得するための方法であって、
ユーザ機器（ＵＥ）から接続を確立したいという要求を受信することと、前記要求がプロビジョニングサーバを示す、
前記要求に少なくとも部分的に基づいて前記ＵＥのためのパケットデータコンテキストを確立するためのゲートウェイを選択することと、
前記ＵＥのための前記パケットデータコンテキストを確立するために前記ゲートウェイにセッション要求メッセージを送ることと
を備える、方法。
【請求項９】
前記プロビジョニングサーバについて示す前記要求は、前記接続がプロビジョニングすることに特有のものであることを示す、請求項８に記載の方法。
【請求項１０】
前記セッション要求メッセージは、前記ゲートウェイにおけるトラフィックを制御することを容易にするように、前記ＵＥがプロビジョンされていることを示す、請求項８に記載の方法。
【請求項１１】
前記要求に少なくとも部分的に基づいて前記ＵＥのための１つまたは複数のデータベアラをアクティブ化することと、
前記ＵＥとの非認証接続を確立するために前記ＵＥに前記ゲートウェイから受信された証明を送るための前記１つまたは複数のデータベアラに前記パケットデータコンテキストを関連付けることと
をさらに備える、請求項８に記載の方法。
【請求項１２】
ワイヤレスネットワークサービスのためのプロビジョンされた証明を取得するための装置であって、
ユーザ機器（ＵＥ）から接続を確立したいという要求を受信するための手段と、前記要求がプロビジョニングサーバを示す、
前記要求に少なくとも部分的に基づいて前記ＵＥのためのパケットデータコンテキストを確立するためのゲートウェイを選択することと、前記ＵＥのための前記パケットデータコンテキストを確立するために前記ゲートウェイにセッション要求メッセージを送ることとを行うための手段と
を備える、装置。
【請求項１３】
前記プロビジョニングサーバについて示す前記要求は、前記接続がプロビジョニングすることに特有のものであることを示す、請求項１２に記載の装置。
【請求項１４】
前記要求に少なくとも部分的に基づいて前記ＵＥのための１つまたは複数のデータベアラをアクティブ化することと、前記ＵＥとの非認証接続を確立するために前記ＵＥに前記ゲートウェイから受信された証明を送るための前記１つまたは複数のデータベアラに前記パケットデータコンテキストを関連付けることとを行うための手段をさらに備える、請求項１２に記載の装置。
【請求項１５】
請求項１ないし４または８ないし１１のいずれか一項に記載の方法を実行するための命令を備える、コンピュータプログラム。
【手続補正２】
【補正対象書類名】明細書
【補正対象項目名】０１２８
【補正方法】変更
【補正の内容】
【０１２８】
[00143]上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または特許請求されていることがあるが、単数形に限定することが明示的に述べられていない限り、複数形が企図される。加えて、任意の態様および／または実施形態の全部または一部は、別段の規定がない限り、任意の他の態様および／または実施形態の全部または一部とともに利用され得る。
以下に本願の出願当初の特許請求の範囲に記載された発明を付記する。
［Ｃ１］  ワイヤレスネットワークサービスのためのプロビジョンされた証明を取得するための方法であって、
証明がネットワークにアクセスするように構成されていないと決定することと、
証明を取得するための前記ネットワークによってサポートされるプロビジョニングサーバを選択することと、
前記ネットワークとの接続を確立したいという要求を送信することと、ここにおいて、前記要求が、前記プロビジョニングサーバを示す、
を備える、方法。
［Ｃ２］  前記要求を送信することは、前記ネットワークが証明のオンラインプロビジョニングを可能にすると決定することに少なくとも部分的に基づく、Ｃ１に記載の方法。
［Ｃ３］  前記プロビジョニングサーバを選択することが、構成中に記憶された前記プロビジョニングサーバの指示を決定すること、または前記ネットワークから前記プロビジョニングサーバの前記指示を受信することに少なくとも部分的に基づく、Ｃ１に記載の方法。
［Ｃ４］  証明が構成されていないと決定することが、前記ネットワークのための１つまたは複数のプロビジョニングサーバに関する情報を決定することに少なくとも部分的に基づく、Ｃ１に記載の方法。
［Ｃ５］  前記ネットワークとの前記接続を確立したいという前記要求に少なくとも部分的に基づいて前記プロビジョニングサーバとの前記接続を確立することと、
前記ネットワークとの前記接続を介して確立される１つまたは複数のデータベアラを介して前記プロビジョニングサーバから証明を受信することと
をさらに備える、Ｃ１に記載の方法。
［Ｃ６］  前記証明に少なくとも部分的に基づいて前記ネットワークとの認証接続を確立することをさらに備える、Ｃ５に記載の方法。
［Ｃ７］  前記要求を送信することが、接続要求またはプロビジョニングを示す非アクセス層（ＮＡＳ）メッセージのうちの少なくとも１つを含むＮＡＳメッセージを送信することを備える、Ｃ１に記載の方法。
［Ｃ８］  前記ＮＡＳメッセージが、前記ＮＡＳメッセージ中に指定されているアクセスポイント名、前記ＮＡＳメッセージ中に含まれる情報要素、前記ＮＡＳメッセージ中に指定されているプロビジョニングサーバインデックスまたは識別子、前記ＮＡＳメッセージ中に指定されているプロビジョニングサーバタイプ、または前記ＮＡＳメッセージ中に指定されているデフォルトプロビジョニングサーバのうちの少なくとも１つに少なくとも部分的に基づいてプロビジョニングを示す、Ｃ７に記載の方法。
［Ｃ９］  前記アクセスポイント名が、前記ネットワークに関連する１つまたは複数のサービスプロバイダのサービスプロバイダ名に少なくとも部分的に基づく、Ｃ８に記載の方法。
［Ｃ１０］  前記ＮＡＳメッセージが、前記ＮＡＳメッセージ中のユーザ機器識別子または識別子タイプを指定することに少なくとも部分的に基づいてプロビジョニングを示す、Ｃ７に記載の方法。
［Ｃ１１］  前記接続を確立したいという前記要求が、ユーザ機器の国際移動体装置識別番号を含む、Ｃ１に記載の方法。
［Ｃ１２］  ワイヤレスネットワークサービスのためのプロビジョンされた証明を取得するための装置であって、
証明がネットワークにアクセスするように構成されていないと決定することを行うように構成されたサービス問合せ構成要素と、
証明を取得するための前記ネットワークによってサポートされるプロビジョニングサーバを選択することを行うように構成された証明要求構成要素と、
前記ネットワークとの接続を確立したいという要求を送信することを行うように構成された接続確立構成要素と、ここにおいて、前記要求が、前記プロビジョニングサーバを示す、
を備える、装置。
［Ｃ１３］  前記接続確立構成要素は、前記ネットワークが証明のオンラインプロビジョニングを可能にすると決定することに少なくとも部分的に基づいて前記要求を送信することを行うように構成された、Ｃ１２に記載の装置。
［Ｃ１４］  前記証明要求構成要素が、構成中に記憶された前記プロビジョニングサーバの指示を決定すること、または前記ネットワークから前記プロビジョニングサーバの前記指示を受信することに少なくとも部分的にイズ基づいて前記プロビジョニングサーバを選択することを行うように構成された、Ｃ１２に記載の装置。
［Ｃ１５］  前記サービス問合せ構成要素が、前記ネットワークのための１つまたは複数のプロビジョニングサーバに関する情報を決定することに少なくとも部分的に基づいて証明が構成されていないと決定することを行うように構成された、Ｃ１２に記載の装置。
［Ｃ１６］  前記接続確立構成要素が、前記ネットワークとの前記接続を確立したいという前記要求に少なくとも部分的に基づいて前記プロビジョニングサーバとの前記接続を確立することを行うようにさらに構成され、ここにおいて、前記証明要求構成要素が、前記ネットワークとの前記接続を介して確立される１つまたは複数のデータベアラを介して前記プロビジョニングサーバから証明を受信することを行うようにさらに構成された、Ｃ１２に記載の装置。
［Ｃ１７］  前記接続確立構成要素が、前記証明に少なくとも部分的に基づいて前記ネットワークとの認証接続を確立することを行うようにさらに構成された、Ｃ１６に記載の装置。
［Ｃ１８］  前記接続確立構成要素が、接続要求またはプロビジョニングを示す非アクセス層（ＮＡＳ）メッセージのうちの少なくとも１つを含むＮＡＳメッセージとして前記要求を送信することを行うように構成された、Ｃ１２に記載の装置。
［Ｃ１９］  前記ＮＡＳメッセージが、前記ＮＡＳメッセージ中に指定されているアクセスポイント名、前記ＮＡＳメッセージ中に含まれる情報要素、前記ＮＡＳメッセージ中に指定されているプロビジョニングサーバインデックスまたは識別子、前記ＮＡＳメッセージ中に指定されているプロビジョニングサーバタイプ、または前記ＮＡＳメッセージ中に指定されているデフォルトプロビジョニングサーバのうちの少なくとも１つに少なくとも部分的に基づいてプロビジョニングを示す、Ｃ１８に記載の装置。
［Ｃ２０］  前記アクセスポイント名が、前記ネットワークに関連する１つまたは複数のサービスプロバイダのサービスプロバイダ名に少なくとも部分的に基づく、Ｃ１９に記載の装置。
［Ｃ２１］  前記ＮＡＳメッセージが、前記ＮＡＳメッセージ中のユーザ機器識別子または識別子タイプを指定することに少なくとも部分的に基づいてプロビジョニングを示す、Ｃ１８に記載の装置。
［Ｃ２２］  前記接続を確立したいという前記要求が、ユーザ機器の国際移動体装置識別番号を含む、Ｃ１２に記載の装置。
［Ｃ２３］  ワイヤレスネットワークサービスのためのプロビジョンされた証明を取得するための装置であって、
証明がネットワークにアクセスするように構成されていないと決定するための手段と、
証明を取得するための前記ネットワークによってサポートされるプロビジョニングサーバを選択するための手段と、
前記ネットワークとの接続を確立したいという要求を送信するための手段と、ここにおいて、前記要求が、前記プロビジョニングサーバを示す、
を備える、装置。
［Ｃ２４］  送信するための前記手段は、前記ネットワークが証明のオンラインプロビジョニングを可能にすると決定することに少なくとも部分的に基づいて前記要求を送信する、Ｃ２３に記載の装置。
［Ｃ２５］  選択するための前記手段が、構成中に記憶された前記プロビジョニングサーバの指示を決定すること、または前記ネットワークから前記プロビジョニングサーバの前記指示を受信することに少なくとも部分的にイズ基づいて前記プロビジョニングサーバを選択する、Ｃ２３に記載の装置。
［Ｃ２６］  決定するための前記手段が、前記ネットワークのための１つまたは複数のプロビジョニングサーバに関する情報を決定することに少なくとも部分的に基づいて証明が構成されていないと決定する、Ｃ２３に記載の装置。
［Ｃ２７］  送信するための前記手段が、前記ネットワークとの前記接続を確立したいという前記要求に少なくとも部分的に基づいて前記プロビジョニングサーバとの前記接続をさらに確立する、ここにおいて、選択するための前記手段が、前記ネットワークとの前記接続を介して確立される１つまたは複数のデータベアラを介して前記プロビジョニングサーバから証明をさらに受信する、Ｃ２３に記載の装置。
［Ｃ２８］  送信するための前記手段が、前記証明に少なくとも部分的に基づいて前記ネットワークとの認証接続をさらに確立する、Ｃ２７に記載の装置。
［Ｃ２９］  送信するための前記手段が、接続要求またはプロビジョニングを示す非アクセス層（ＮＡＳ）メッセージのうちの少なくとも１つを含むＮＡＳメッセージとして前記要求を送信する、Ｃ２３に記載の装置。
［Ｃ３０］  前記ＮＡＳメッセージが、前記ＮＡＳメッセージ中に指定されているアクセスポイント名、前記ＮＡＳメッセージ中に含まれる情報要素、前記ＮＡＳメッセージ中に指定されているプロビジョニングサーバインデックスまたは識別子、前記ＮＡＳメッセージ中に指定されているプロビジョニングサーバタイプ、または前記ＮＡＳメッセージ中に指定されているデフォルトプロビジョニングサーバのうちの少なくとも１つに少なくとも部分的に基づいてプロビジョニングを示す、Ｃ２９に記載の装置。
［Ｃ３１］  前記アクセスポイント名が、前記ネットワークに関連する１つまたは複数のサービスプロバイダのサービスプロバイダ名に少なくとも部分的に基づく、Ｃ３０に記載の装置。
［Ｃ３２］  前記ＮＡＳメッセージが、前記ＮＡＳメッセージ中のユーザ機器識別子または識別子タイプを指定することに少なくとも部分的に基づいてプロビジョニングを示す、Ｃ２９に記載の装置。
［Ｃ３３］  前記接続を確立したいという前記要求が、ユーザ機器の国際移動体装置識別番号を含む、Ｃ２３に記載の装置。
［Ｃ３４］  ワイヤレスネットワークサービスのためのプロビジョンされた証明を取得するためのコンピュータ可読媒体であって、
証明がネットワークにアクセスするように構成されていないと決定するためのコードと、
証明を取得するための前記ネットワークによってサポートされるプロビジョニングサーバを選択するためのコードと、
前記ネットワークとの接続を確立したいという要求を送信するためのコードと、ここにおいて、前記要求が、前記プロビジョニングサーバを示す、
を備える、コンピュータ可読媒体。
［Ｃ３５］  送信するための前記コードは、前記ネットワークが証明のオンラインプロビジョニングを可能にすると決定することに少なくとも部分的に基づいて前記要求を送信する、Ｃ３４に記載のコンピュータ可読媒体。
［Ｃ３６］  選択するための前記コードが、構成中に記憶された前記プロビジョニングサーバの指示を決定すること、または前記ネットワークから前記プロビジョニングサーバの前記指示を受信することに少なくとも部分的にイズ基づいて前記プロビジョニングサーバを選択する、Ｃ３４に記載のコンピュータ可読媒体。
［Ｃ３７］  決定するための前記コードが、前記ネットワークのための１つまたは複数のプロビジョニングサーバに関する情報を決定することに少なくとも部分的に基づいて証明が構成されていないと決定する、Ｃ３４に記載のコンピュータ可読媒体。
［Ｃ３８］  送信するための前記コードが、前記ネットワークとの前記接続を確立したいという前記要求に少なくとも部分的に基づいて前記プロビジョニングサーバとの前記接続をさらに確立する、ここにおいて、選択するための前記コードが、前記ネットワークとの前記接続を介して確立される１つまたは複数のデータベアラを介して前記プロビジョニングサーバから証明をさらに受信する、Ｃ３４に記載のコンピュータ可読媒体。
［Ｃ３９］  送信するための前記コードが、前記証明に少なくとも部分的に基づいて前記ネットワークとの認証接続をさらに確立する、Ｃ３８に記載のコンピュータ可読媒体。
［Ｃ４０］  送信するための前記コードが、接続要求またはプロビジョニングを示す非アクセス層（ＮＡＳ）メッセージのうちの少なくとも１つを含むＮＡＳメッセージとして前記要求を送信する、Ｃ３４に記載のコンピュータ可読媒体。
［Ｃ４１］  前記ＮＡＳメッセージが、前記ＮＡＳメッセージ中に指定されているアクセスポイント名、前記ＮＡＳメッセージ中に含まれる情報要素、前記ＮＡＳメッセージ中に指定されているプロビジョニングサーバインデックスまたは識別子、前記ＮＡＳメッセージ中に指定されているプロビジョニングサーバタイプ、または前記ＮＡＳメッセージ中に指定されているデフォルトプロビジョニングサーバのうちの少なくとも１つに少なくとも部分的に基づいてプロビジョニングを示す、Ｃ４０に記載のコンピュータ可読媒体。
［Ｃ４２］  前記アクセスポイント名が、前記ネットワークに関連する１つまたは複数のサービスプロバイダのサービスプロバイダ名に少なくとも部分的に基づく、Ｃ４１に記載のコンピュータ可読媒体。
［Ｃ４３］  前記ＮＡＳメッセージが、前記ＮＡＳメッセージ中のユーザ機器識別子または識別子タイプを指定することに少なくとも部分的に基づいてプロビジョニングを示す、Ｃ４０に記載のコンピュータ可読媒体。
［Ｃ４４］  前記接続を確立したいという前記要求が、ユーザ機器の国際移動体装置識別番号を含む、Ｃ３４に記載のコンピュータ可読媒体。
［Ｃ４５］  ワイヤレスネットワークサービスのためのプロビジョンされた証明を取得するための方法であって、
ユーザ機器（ＵＥ）から接続を確立したいという要求を受信することと、前記要求がプロビジョニングサーバを示す、
前記要求に少なくとも部分的に基づいて前記ＵＥのためのパケットデータコンテキストを確立するためのゲートウェイを選択することと、
前記ＵＥのための前記パケットデータコンテキストを確立するために前記ゲートウェイにセッション要求メッセージを送ることと
を備える、方法。
［Ｃ４６］  前記ＵＥからの前記要求が、接続要求またはプロビジョニングを示す非アクセス層（ＮＡＳ）メッセージを含むＮＡＳメッセージを備える、Ｃ４５に記載の方法。
［Ｃ４７］  前記ＮＡＳメッセージに少なくとも部分的に基づいて、前記接続を確立したいという前記要求が証明をプロビジョニングするためのものであると決定すること、ここにおいて、前記ゲートウェイを選択することと、前記セッション要求メッセージを送ることとが、前記接続が証明をプロビジョニングするためのものであると決定することに少なくとも部分的に基づく、をさらに備える、Ｃ４６に記載の方法。
［Ｃ４８］  前記接続を確立したいという前記要求がプロビジョニングするためのものであると決定することは、前記接続を確立することについての前記要求中に指定されているアクセスポイント名に少なくとも部分的に基づく、Ｃ４７に記載の方法。
［Ｃ４９］  前記プロビジョニングサーバについて示す前記要求は、前記接続がプロビジョニングすることに特有のものであることを示す、Ｃ４５に記載の方法。
［Ｃ５０］  前記セッション要求メッセージは、前記ＵＥのための前記パケットデータコンテキストが証明をプロビジョニングすることに限定されることを示す、Ｃ４５に記載の方法。
［Ｃ５１］  前記セッション要求メッセージは、前記セッション要求メッセージ中の前記プロビジョニングサーバを識別することに少なくとも部分的に基づいて、前記パケットデータコンテキストが証明をプロビジョニングすることに限定されることを示す、Ｃ５０に記載の方法。
［Ｃ５２］  前記セッション要求メッセージが、パケットデータネットワーク接続として前記パケットデータコンテキストを確立するためにセッション作成要求メッセージを備える、Ｃ４５に記載の方法。
［Ｃ５３］  前記接続を確立したいという前記要求を受信することに少なくとも部分的に基づいて１つまたは複数の他のゲートウェイへのアクセスを非アクティブ化することをさらに備える、Ｃ４５に記載の方法。
［Ｃ５４］  前記セッション要求メッセージが、前記ゲートウェイにおけるトラフィックを制御することを容易にするようにこうして前記ＵＥがプロビジョンされていることを示す、Ｃ４５に記載の方法。
［Ｃ５５］  前記セッション要求メッセージが、前記プロビジョニングサーバを指定することに少なくとも部分的に基づいて前記ＵＥがプロビジョンされていることを示す、Ｃ５４に記載の方法。
［Ｃ５６］  前記要求に少なくとも部分的に基づいて前記ＵＥのための１つまたは複数のデータベアラをアクティブ化することと、
前記ＵＥとの非認証接続を確立するために前記ＵＥに前記ゲートウェイから受信された証明を送るための前記１つまたは複数のデータベアラに前記パケットデータコンテキストを関連付けることと
をさらに備える、Ｃ４５に記載の方法。
［Ｃ５７］  ある時間期間後に前記１つまたは複数のデータベアラあるいは前記パケットデータコンテキストを解放することをさらに備える、Ｃ５６に記載の方法。
［Ｃ５８］  ワイヤレスネットワークサービスのためのプロビジョンされた証明を取得するための装置であって、
ユーザ機器（ＵＥ）から接続を確立したいという要求を受信するように構成された接続確立構成要素と、前記要求がプロビジョニングサーバを示す、
前記要求に少なくとも部分的に基づいて前記ＵＥのためのパケットデータコンテキストを確立するためのゲートウェイを選択することと、前記ＵＥのための前記パケットデータコンテキストを確立するために前記ゲートウェイにセッション要求メッセージを送ることとを行うように構成されたゲートウェイ通信構成要素と
を備える、装置。
［Ｃ５９］  前記ＵＥからの前記要求が、接続要求またはプロビジョニングを示す非アクセス層（ＮＡＳ）メッセージを含むＮＡＳメッセージを備える、Ｃ５８に記載の装置。
［Ｃ６０］  前記接続確立構成要素が、前記ＮＡＳメッセージに少なくとも部分的に基づいて、前記接続を確立したいという前記要求が証明をプロビジョニングするためのものであると決定すること、ここにおいて、前記ゲートウェイ通信構成要素が、前記接続が証明をプロビジョニングするためのものであると前記接続確立構成要素が決定することに少なくとも部分的に基づいて前記ゲートウェイを選択することと、前記セッション要求メッセージを送ることとを行うように構成された、を行うようにさらに構成された、Ｃ５９に記載の装置。
［Ｃ６１］  前記接続確立構成要素が、前記接続を確立することについての前記要求中に指定されているアクセスポイント名に少なくとも部分的に基づいて、前記接続を確立したいという前記要求がプロビジョニングするためのものであると決定することを行うように構成された、Ｃ６０に記載の装置。
［Ｃ６２］  前記プロビジョニングサーバについて示す前記要求は、前記接続がプロビジョニングすることに特有のものであることを示す、Ｃ５８に記載の装置。
［Ｃ６３］  前記セッション要求メッセージは、前記ＵＥのための前記パケットデータコンテキストが証明をプロビジョニングすることに限定されることを示す、Ｃ５８に記載の装置。
［Ｃ６４］  前記セッション要求メッセージは、前記セッション要求メッセージ中の前記プロビジョニングサーバを識別することに少なくとも部分的に基づいて、前記パケットデータコンテキストが証明をプロビジョニングすることに限定されることを示す、Ｃ６３に記載の装置。
［Ｃ６５］  前記セッション要求メッセージが、パケットデータネットワーク接続として前記パケットデータコンテキストを確立するためにセッション作成要求メッセージを備える、Ｃ５８に記載の装置。
［Ｃ６６］  前記ゲートウェイ通信構成要素が、前記接続を確立したいという前記要求を前記接続確立構成要素が受信することに少なくとも部分的に基づいて１つまたは複数の他のゲートウェイへのアクセスを非アクティブ化することを行うようにさらに構成された、Ｃ５８に記載の装置。
［Ｃ６７］  前記セッション要求メッセージが、前記ゲートウェイにおけるトラフィックを制御することを容易にするようにこうして前記ＵＥがプロビジョンされていることを示す、Ｃ５８に記載の装置。
［Ｃ６８］  前記セッション要求メッセージが、前記プロビジョニングサーバを指定することに少なくとも部分的に基づいて前記ＵＥがプロビジョンされていることを示す、Ｃ６７に記載の装置。
［Ｃ６９］  前記要求に少なくとも部分的に基づいて前記ＵＥのための１つまたは複数のデータベアラをアクティブ化することと、前記ＵＥとの非認証接続を確立するために前記ＵＥに前記ゲートウェイから受信された証明を送るための前記１つまたは複数のデータベアラに前記パケットデータコンテキストを関連付けることとを行うように構成されたベアラアクティブ化構成要素をさらに備える、Ｃ５８に記載の装置。
［Ｃ７０］  前記ベアラアクティブ化構成要素が、ある時間期間後に前記１つまたは複数のデータベアラあるいは前記パケットデータコンテキストを解放することを行うようにさらに構成された、Ｃ６９に記載の装置。
［Ｃ７１］  ワイヤレスネットワークサービスのためのプロビジョンされた証明を取得するための装置であって、
ユーザ機器（ＵＥ）から接続を確立したいという要求を受信するための手段と、前記要求がプロビジョニングサーバを示す、
前記要求に少なくとも部分的に基づいて前記ＵＥのためのパケットデータコンテキストを確立するためのゲートウェイを選択することと、前記ＵＥのための前記パケットデータコンテキストを確立するために前記ゲートウェイにセッション要求メッセージを送ることとを行うための手段と
を備える、装置。
［Ｃ７２］  前記ＵＥからの前記要求が、接続要求またはプロビジョニングを示す非アクセス層（ＮＡＳ）メッセージを含むＮＡＳメッセージを備える、Ｃ７１に記載の装置。
［Ｃ７３］  受信するための前記手段が、前記ＮＡＳメッセージに少なくとも部分的に基づいて、前記接続を確立したいという前記要求が証明をプロビジョニングするためのものであると決定すること、ここにおいて、選択するための前記手段が、前記接続が証明をプロビジョニングするためのものであると、受信するための前記手段が決定することに少なくとも部分的に基づいて前記ゲートウェイを選択することと、前記セッション要求メッセージを送ることとを行う、をさらに行う、Ｃ７２に記載の装置。
［Ｃ７４］  受信するための前記手段が、前記接続を確立することについての前記要求中に指定されているアクセスポイント名に少なくとも部分的に基づいて、前記接続を確立したいという前記要求がプロビジョニングするためのものであると決定することをさらに行う、Ｃ７３に記載の装置。
［Ｃ７５］  前記プロビジョニングサーバについて示す前記要求は、前記接続がプロビジョニングすることに特有のものであることを示す、Ｃ７１に記載の装置。
［Ｃ７６］  前記セッション要求メッセージは、前記ＵＥのための前記パケットデータコンテキストが証明をプロビジョニングすることに限定されることを示す、Ｃ７１に記載の装置。
［Ｃ７７］  前記セッション要求メッセージは、前記セッション要求メッセージ中の前記プロビジョニングサーバを識別することに少なくとも部分的に基づいて、前記パケットデータコンテキストが証明をプロビジョニングすることに限定されることを示す、Ｃ７６に記載の装置。
［Ｃ７８］  前記セッション要求メッセージが、パケットデータネットワーク接続として前記パケットデータコンテキストを確立するためにセッション作成要求メッセージを備える、Ｃ７１に記載の装置。
［Ｃ７９］  選択するための前記手段が、前記接続を確立したいという前記要求を、受信するための前記手段が受信することに少なくとも部分的に基づいて１つまたは複数の他のゲートウェイへのアクセスを非アクティブ化することをさらに行う、Ｃ７１に記載の装置。
［Ｃ８０］  前記セッション要求メッセージが、前記ゲートウェイにおけるトラフィックを制御することを容易にするようにこうして前記ＵＥがプロビジョンされていることを示す、Ｃ７１に記載の装置。
［Ｃ８１］  前記セッション要求メッセージが、前記プロビジョニングサーバを指定することに少なくとも部分的に基づいて前記ＵＥがプロビジョンされていることを示す、Ｃ８０に記載の装置。
［Ｃ８２］  前記要求に少なくとも部分的に基づいて前記ＵＥのための１つまたは複数のデータベアラをアクティブ化することと、前記ＵＥとの非認証接続を確立するために前記ＵＥに前記ゲートウェイから受信された証明を送るための前記１つまたは複数のデータベアラに前記パケットデータコンテキストを関連付けることとを行うための手段をさらに備える、Ｃ７１に記載の装置。
［Ｃ８３］  アクティブ化するための前記手段が、ある時間期間後に前記１つまたは複数のデータベアラあるいは前記パケットデータコンテキストを解放することをさらに行う、Ｃ８２に記載の装置。
［Ｃ８４］  ワイヤレスネットワークサービスのためのプロビジョンされた証明を取得するためのコンピュータ可読媒体であって、
ユーザ機器（ＵＥ）から接続を確立したいという要求を受信するためのコードと、前記要求がプロビジョニングサーバを示す、
前記要求に少なくとも部分的に基づいて前記ＵＥのためのパケットデータコンテキストを確立するためのゲートウェイを選択するためのコードと、
前記ＵＥのための前記パケットデータコンテキストを確立するために前記ゲートウェイにセッション要求メッセージを送るためのコードと
を備える、コンピュータ可読媒体。
［Ｃ８５］  前記ＵＥからの前記要求が、接続要求またはプロビジョニングを示す非アクセス層（ＮＡＳ）メッセージを含むＮＡＳメッセージを備える、Ｃ８４に記載のコンピュータ可読媒体。
［Ｃ８６］  受信するための前記コードが、前記ＮＡＳメッセージに少なくとも部分的に基づいて、前記接続を確立したいという前記要求が証明をプロビジョニングするためのものであると決定すること、ここにおいて、選択するための前記コードが、前記接続が証明をプロビジョニングするためのものであると、受信するための前記コードが決定することに少なくとも部分的に基づいて前記ゲートウェイを選択することと、前記セッション要求メッセージを送ることとを行う、をさらに行う、Ｃ８５に記載のコンピュータ可読媒体。
［Ｃ８７］  受信するための前記コードが、前記接続を確立することについての前記要求中に指定されているアクセスポイント名に少なくとも部分的に基づいて、前記接続を確立したいという前記要求がプロビジョニングするためのものであると決定することをさらに行う、Ｃ８６に記載のコンピュータ可読媒体。
［Ｃ８８］  前記プロビジョニングサーバについて示す前記要求は、前記接続がプロビジョニングすることに特有のものであることを示す、Ｃ８４に記載のコンピュータ可読媒体。
［Ｃ８９］  前記セッション要求メッセージは、前記ＵＥのための前記パケットデータコンテキストが証明をプロビジョニングすることに限定されることを示す、Ｃ８４に記載のコンピュータ可読媒体。
［Ｃ９０］  前記セッション要求メッセージは、前記セッション要求メッセージ中の前記プロビジョニングサーバを識別することに少なくとも部分的に基づいて、前記パケットデータコンテキストが証明をプロビジョニングすることに限定されることを示す、Ｃ８９に記載のコンピュータ可読媒体。
［Ｃ９１］  前記セッション要求メッセージが、パケットデータネットワーク接続として前記パケットデータコンテキストを確立するためにセッション作成要求メッセージを備える、Ｃ８４に記載のコンピュータ可読媒体。
［Ｃ９２］  選択するための前記コードが、前記接続を確立したいという前記要求を、受信するための前記コードが受信することに少なくとも部分的に基づいて１つまたは複数の他のゲートウェイへのアクセスを非アクティブ化することをさらに行う、Ｃ８４に記載のコンピュータ可読媒体。
［Ｃ９３］  前記セッション要求メッセージが、前記ゲートウェイにおけるトラフィックを制御することを容易にするようにこうして前記ＵＥがプロビジョンされていることを示す、Ｃ８４に記載のコンピュータ可読媒体。
［Ｃ９４］  前記セッション要求メッセージが、前記プロビジョニングサーバを指定することに少なくとも部分的に基づいて前記ＵＥがプロビジョンされていることを示す、Ｃ９３に記載のコンピュータ可読媒体。
［Ｃ９５］  前記要求に少なくとも部分的に基づいて前記ＵＥのための１つまたは複数のデータベアラをアクティブ化することと、前記ＵＥとの非認証接続を確立するために前記ＵＥに前記ゲートウェイから受信された証明を送るための前記１つまたは複数のデータベアラに前記パケットデータコンテキストを関連付けることとを行うためのコードをさらに備える、Ｃ８４に記載のコンピュータ可読媒体。
［Ｃ９６］  アクティブ化するための前記コードが、ある時間期間後に前記１つまたは複数のデータベアラあるいは前記パケットデータコンテキストを解放することをさらに行う、Ｃ９５に記載のコンピュータ可読媒体。
［Ｃ９７］  ワイヤレスネットワークサービスのためのプロビジョンされた証明を取得するための方法であって、
ネットワークにアクセスするために証明をプロビジョニングするためのユーザ機器（ＵＥ）のためのセッションを確立することと、
要求に少なくとも部分的に基づいてプロビジョニングサーバに関する特定の情報を決定することと、
前記プロビジョニングサーバに前記ＵＥの外部アクセスを制限することと
を備える、方法。
［Ｃ９８］  前記ネットワークにアクセスするために前記ＵＥのための証明を前記プロビジョニングサーバから取得することをさらに備える、Ｃ９７に記載の方法。
［Ｃ９９］  前記要求が、前記ネットワークのサブスクリプションプロバイダに関する情報を含み、証明を前記取得することが、前記情報に少なくとも部分的に基づく、Ｃ９８に記載の方法。
［Ｃ１００］  前記ＵＥのために確立された１つまたは複数のデータベアラを介して前記プロビジョニングサーバから前記ＵＥに前記証明を通信することをさらに備える、Ｃ９８に記載の方法。
［Ｃ１０１］  前記ＵＥの後続の認証のために１つまたは複数のネットワーク構成要素に前記ＵＥのための前記証明を通信することをさらに備える、Ｃ９８に記載の方法。
［Ｃ１０２］  ワイヤレスネットワークサービスのためのプロビジョンされた証明を取得するための装置であって、
ネットワークにアクセスするために証明をプロビジョニングするためのユーザ機器（ＵＥ）のためのセッションを確立するように構成されたネットワーク通信構成要素と、
要求に少なくとも部分的に基づいてプロビジョニングサーバに関する特定の情報を決定することと、前記プロビジョニングサーバに前記ＵＥの外部アクセスを制限することとを行うように構成された通信管理構成要素と
を備える、装置。
［Ｃ１０３］  前記ネットワーク通信構成要素は、前記ネットワークにアクセスするために前記ＵＥのための証明を前記プロビジョニングサーバから取得することを行うようにさらに構成された、Ｃ１０２に記載の装置。
［Ｃ１０４］  前記要求が、前記ネットワークのサブスクリプションプロバイダに関する情報を含み、前記ネットワーク通信構成要素が、前記情報に少なくとも部分的に基づいて前記証明を取得することを行うように構成された、Ｃ１０３に記載の装置。
［Ｃ１０５］  前記ネットワーク通信構成要素が、前記ＵＥのために確立された１つまたは複数のデータベアラを介して前記プロビジョニングサーバから前記ＵＥに前記証明を通信することを行うようにさらに構成された、Ｃ１０３に記載の装置。
［Ｃ１０６］  前記ネットワーク通信構成要素が、前記ＵＥの後続の認証のために１つまたは複数のネットワーク構成要素に前記ＵＥのための前記証明を通信することを行うようにさらに構成された、Ｃ１０３に記載の装置。
［Ｃ１０７］  ワイヤレスネットワークサービスのためのプロビジョンされた証明を取得するための装置であって、
ネットワークにアクセスするために証明をプロビジョニングするためのユーザ機器（ＵＥ）のためのセッションを確立するための手段と、
要求に少なくとも部分的に基づいてプロビジョニングサーバに関する特定の情報を決定することと、前記プロビジョニングサーバに前記ＵＥの外部アクセスを制限することとを行うための手段と
を備える、装置。
［Ｃ１０８］  確立するための前記手段は、前記ネットワークにアクセスするために前記ＵＥのための証明を前記プロビジョニングサーバから取得することをさらに行う、Ｃ１０７に記載の装置。
［Ｃ１０９］  前記要求が、前記ネットワークのサブスクリプションプロバイダに関する情報を含み、確立するための前記手段が、前記情報に少なくとも部分的に基づいて前記証明を取得することを行う、Ｃ１０８に記載の装置。
［Ｃ１１０］  確立するための前記手段が、前記ＵＥのために確立された１つまたは複数のデータベアラを介して前記プロビジョニングサーバから前記ＵＥに前記証明を通信することをさらに行う、Ｃ１０８に記載の装置。
［Ｃ１１１］  確立するための前記手段が、前記ＵＥの後続の認証のために１つまたは複数のネットワーク構成要素に前記ＵＥのための前記証明を通信することをさらに行う、Ｃ１０８に記載の装置。
［Ｃ１１２］  ワイヤレスネットワークサービスのためのプロビジョンされた証明を取得するためのコンピュータ可読媒体であって、
ネットワークにアクセスするために証明をプロビジョニングするためのユーザ機器（ＵＥ）のためのセッションを確立するためのコードと、
要求に少なくとも部分的に基づいてプロビジョニングサーバに関する特定の情報を決定するためのコードと、
前記プロビジョニングサーバに前記ＵＥの外部アクセスを制限するためのコードと
を備える、コンピュータ可読媒体。
［Ｃ１１３］  確立するための前記コードは、前記ネットワークにアクセスするために前記ＵＥのための証明を前記プロビジョニングサーバから取得することをさらに行う、Ｃ１１２に記載のコンピュータ可読媒体。
［Ｃ１１４］  前記要求が、前記ネットワークのサブスクリプションプロバイダに関する情報を含み、確立するための前記コードが、前記情報に少なくとも部分的に基づいて前記証明を取得することを行う、Ｃ１１３に記載のコンピュータ可読媒体。
［Ｃ１１５］  確立するための前記コードが、前記ＵＥのために確立された１つまたは複数のデータベアラを介して前記プロビジョニングサーバから前記ＵＥに前記証明を通信することをさらに行う、Ｃ１１３に記載のコンピュータ可読媒体。
［Ｃ１１６］  確立するための前記コードが、前記ＵＥの後続の認証のために１つまたは複数のネットワーク構成要素に前記ＵＥのための前記証明を通信することをさらに行う、Ｃ１１３に記載のコンピュータ可読媒体。